(57)【要約】 【課題】総運転時間データ等のデータが完全に消失しない燃焼機器を提供する。【解決手段】  本体１に不揮発性の半導体メモリからなる記憶部７を、リモコン装置１０に不揮発性の半導体メモリからなるリモコン記憶部１３を設け、両方に総運転時間データを記憶させるので、記憶部７とリモコン記憶部１３の一方が壊れたり部品を交換したり、何らかの原因で総運転時間データが消失したとしても、もう一方が総運転時間データを記憶しているので、データが完全に消失することを防止できるものである。【選択図】図２
2010019459.tif 000002
【特許請求の範囲】
【請求項１】
燃焼部と、操作部と、表示部と、不揮発性の記憶部と、比較部と、本体制御部とを有する本体と、該本体と有線叉は無線等により接続され、リモコン操作部と、リモコン表示部と、不揮発性のリモコン記憶部と、リモコン制御部とを有するリモコン装置とからなる燃焼機器に於いて、前記本体制御部は定期的に記憶部とリモコン記憶部とに記憶させたデータを比較部により比較させ、比較したデータが異なった時、比較した一方のデータに記憶部とリモコン記憶部が記憶しているデータを書き替えて記憶させることを特徴とする燃焼機器。
【請求項２】
前記本体はタイマー部と演算部とを有し、前記本体制御部は燃焼運転が開始されるとタイマー部に計時を開始させ、その後燃焼運転が停止されるとタイマー部の計時を終了させ、前記演算部にて記憶部が記憶している総運転時間データにタイマー部にて計時した運転時間データを加算し、その加算した総運転時間データに記憶部とリモコン記憶部が記憶している総運転時間データを書き替えて記憶させることを特徴とする請求項１記載の燃焼機器。
【発明の詳細な説明】
【技術分野】
【０００１】
この発明は、総運転時間をデータとして保持する燃焼機器に関するものである。
【背景技術】
【０００２】
従来よりこの種のものに於いは、例えば、装置本体側の記憶手段とリモコン手段側の記憶手段の双方で各種必要なデータを記憶し、装置本体側の記憶手段叉はリモコン手段側の記憶手段の一方が記憶しているデータを消失した時、他方のデータを転送して消失したデータを補完していた。（例えば、特許文献１参照）
【特許文献１】特開２００１−３４９６０７号公報
【０００３】
叉、装置本体側の記憶手段とリモコン手段の双方で、お互いに自分の固有情報記憶手段の固有情報を、一定時間毎に相手の避難情報記憶手段に転送してデータを保持していた。（例えば、特許文献２参照）
【特許文献２】特開平０８−３２７０６１号公報
【発明の開示】
【発明が解決しようとする課題】
【０００４】
ところでこの従来のものでは、装置本体側の記憶手段とリモコン手段の双方でお互いに自分の情報を相手に転送することにより、一方がデータを消失してもデータが完全に消失しないようにデータをバックアップしていたが、例えば総運転時間をデータとして記憶する場合、一方の記憶手段が故障して交換されたり、何らかの原因でデータが更新されなかった時、双方の総運転時間のデータが異なり、正しくない方のデータが他方の記憶手段に転送されてしまうと、正しい総運転時間のデータが消失してしまう可能性があった。
【課題を解決するための手段】
【０００５】
この発明はこの点に着目し上記課題を解決する為、特にその構成を請求項１では、燃焼部と、操作部と、表示部と、不揮発性の記憶部と、比較部と、本体制御部とを有する本体と、該本体と有線叉は無線等により接続され、リモコン操作部と、リモコン表示部と、不揮発性のリモコン記憶部と、リモコン制御部とを有するリモコン装置とからなる燃焼機器に於いて、前記本体制御部は定期的に記憶部とリモコン記憶部とに記憶させたデータを比較部により比較させ、比較したデータが異なった時、比較した一方のデータに記憶部とリモコン記憶部が記憶しているデータを書き替えて記憶させるものである。
【０００６】
又請求項２に係る燃焼機器では、特にその構成を請求項１の燃焼機器において、前記本体はタイマー部と演算部とを有し、前記本体制御部は燃焼運転が開始されるとタイマー部に計時を開始させ、その後燃焼運転が停止されるとタイマー部の計時を終了させ、前記演算部にて記憶部が記憶している総運転時間データにタイマー部にて計時した運転時間データを加算し、その加算した総運転時間データに記憶部とリモコン記憶部が記憶している総運転時間データを書き替えて記憶させるものである。
【発明の効果】
【０００７】
この発明の請求項１によれば、不揮発性の半導体メモリからなる記憶部を本体側とリモコン側に設け、両方に総運転時間データを記憶させるので、一方の記憶部が壊れたり部品を交換したり、何らかの原因で総運転時間データが消失したとしても、もう一方の記憶部が総運転時間データを記憶しているので、データが完全に消失することを防止できるものである。
【０００８】
また、本体側とリモコン側の記憶部に記憶されている両方の総運転時間データを比較し、それが異なる時はより安全な方のデータ、例えば総運転時間データであれば長い時間の方のデータを総運転時間データとしてそのデータを両方の記憶部に書き替えて記憶させるので、より安全性を高め、メンテナンス表示等的確に報知できるものである。
【０００９】
又本発明の請求項２に記載の燃焼機器によれば、請求項１の燃焼機器に於いて、燃焼運転が開始されてから停止するまでの時間をタイマー部にて計時し、燃焼運転が停止した時点で、演算部にて記憶部に記憶されている総運転時間データに計時した運転時間データを加算し、その加算された新しい総運転時間データにすぐに本体側とリモコン側の両方の記憶部の総運転時間データを書き替えて記憶させるので、常に新しい総運転時間データを記憶しておくことができるものである。
【００１０】
また、本体にタイマー部、比較部、演算部を設けたので、リモコン装置の部品点数を少なくして構造を簡単にできるものである。
【発明を実施するための最良の形態】
【００１１】
次に、本発明に係る発明の一実施形態を図面に基づいて説明する。
１は燃焼機器の本体で、気化された燃油叉は燃焼用ガスと燃焼用空気とが混合されてその混合気が燃焼する燃焼部２と、燃焼機器の燃焼運転のオン・オフや各種の設定や解除を行うための操作部３と、燃焼運転状態や各設定値や設定状態、各種報知や警告の表示を行う表示部４と、操作部３の操作に基づいて燃焼運転を制御し、表示部４に燃焼運転状態や各設定値や設定状態、各種報知や警告の表示を行う本体制御部５とを備えたものである。
【００１２】
６はタイマー部で、本体１内に設けられ、前記本体制御部５から計時開始信号が出力されると計時を開始し、その後本体制御部５から計時終了信号が出力されると計時を終了し、計時を終了した後、計時開始から計時終了までの計時時間を計時時間データとして本体制御部５に出力するものである。
【００１３】
７は記憶部で、不揮発性の半導体メモリからなり、前記本体制御部５から出力された総運転時間データを記憶するもので、本体制御部５から総運転時間データが出力されると、記憶している総運転時間データを書き替えて記憶するものである。
【００１４】
８は比較部で、本体制御部５から出力された２つの総運転時間データを比較し、２つの総運転時間データが同じ場合は、その総運転時間データを本体制御部５に出力し、２つの総運転時間データが異なる場合は長い時間の方の総運転時間データを本体制御部５に出力するものである。
【００１５】
９は演算部で、本体制御部５から出力された２つの総運転時間データを加算し、加算した総運転時間を新しい総運転時間データとして本体制御部５に出力するものである。
【００１６】
１０はリモコン装置で、燃焼機器の燃焼運転のオン・オフや各種の設定や解除を行うためのリモコン操作部１１と、燃焼運転状態や各設定値や設定状態、各種報知や警告の表示を行うリモコン表示部１２と、総運転時間データが入力される度に記憶している総運転時間データを書き替えて記憶すると共に、データ出力信号を入力すると記憶している総運転時間データを出力するリモコン記憶部１３と、リモコン制御部１４とを備えたものである。
【００１７】
前記リモコン制御部１４は、リモコン操作部１１の操作内容を本体１の本体制御部５へ出力すると共に、本体制御部５から出力された各表示信号に基づいてリモコン表示部１２に表示を行い、本体制御部５から総運転時間データが出力されるとその総運転時間データを不揮発性の半導体メモリからなるリモコン記憶部１３に出力してリモコン記憶部１３の記憶している総運転時間データを書き替え、叉、本体制御部５から総運転時間出力信号が出力されると、リモコン記憶部１３にデータ出力信号を出力し、それによりリモコン記憶部１３から出力される総運転時間データを本体制御部５へ出力するもので、前記本体１とリモコン装置１０は通信線１５にて接続されており、本体制御部５とリモコン制御部１４とは通信線１５にて信号の送受信を行うものである。
【００１８】
次に、総運転時間データの確認動作について図２に示すフローチャートにしたがって説明する。
まず電源スイッチがオフからオンになったら（Ｓ１）、本体制御部５からリモコン制御部１４へ総運転時間出力信号が出力され（Ｓ２）、その総運転時間出力信号が入力されたリモコン制御部１４は、リモコン記憶部１３にデータ出力信号を出力する。（Ｓ３）
データ出力信号が入力されたリモコン記憶部１３は、記憶している総運転時間データをリモコン制御部１４に出力する。（Ｓ４）
【００１９】
そしてリモコン制御部１４にリモコン記憶部１３からの総運転時間データが入力されると（Ｓ５）、リモコン制御部１４から総運転時間データが本体制御部５に出力され（Ｓ６）、本体制御部５は比較部８にリモコン制御部１４からの総運転時間データを出力する。（Ｓ７）
【００２０】
そして本体制御部５は記憶部７にデータ出力信号を出力し（Ｓ８）、それにより記憶部７は記憶部７が記憶している総運転時間データを本体制御部５に出力し（Ｓ９）、本体制御部５は比較部８に記憶部７からの総運転時間データを出力する。（Ｓ１０）
【００２１】
比較部８は本体制御部５より出力された２つの総運転時間データを比較し（Ｓ１１）、長い時間の方の総運転時間データを本体制御部５に出力する。（Ｓ１２）
本体制御部５は、比較部８より出力された総運転時間データを書き替えるデータとして記憶部７とリモコン制御部１４とに出力する。（Ｓ１３）
【００２２】
記憶部７は記憶しているデータを、本体制御部５より出力された総運転時間データに書き替えて記憶し、リモコン制御部１４は本体制御部５より出力された総運転時間データをリモコン記憶部１３に出力して、リモコン記憶部１３は記憶しているデータをリモコン制御部１４より出力された総運転時間データに書き替えて記憶する（Ｓ１４）ことで、総運転時間データの確認が完了するものである。（Ｓ１５）
【００２３】
また、（Ｓ５）で、リモコン制御部１４が（Ｓ３）でリモコン記憶部１３にデータ出力信号を出力したのに、リモコン記憶部１３から総運転時間データが出力されてこなかった時、リモコン制御部１４はリモコン記憶部１３に異常が発生したと判断する（Ｓ１６）して、リモコン表示部１２にリモコン記憶部１３のメンテナンス表示を行い（Ｓ１７）、更にリモコン制御部１４から本体制御部５にリモコン記憶部エラー信号が出力される。（Ｓ１８）
【００２４】
本体制御部５はリモコン制御部１４からリモコン記憶部エラー信号が出力されると、表示部４にリモコン記憶部１３のメンテナンス表示を行い（Ｓ１９）、更に比較部８にリモコン制御部１４からの総運転時間データとして０を出力し（Ｓ２０）、（Ｓ８）へと進むものである。
【００２５】
尚、リモコン記憶部１３が部品交換された場合は、新しいリモコン記憶部１３には総運転時間データとして０が記憶されているので、リモコン制御部１４からデータ出力信号をが入力されると、総運転時間データとして０をリモコン制御部１４に出力し、リモコン制御部１４から総運転時間データとして０が本体制御部５に出力されるものである。
【００２６】
次に運転による総運転時間データの更新動作について説明する。
まず電源スイッチがオフからオンになった時に行われる総運転時間データの確認が完了したか確認し（Ｓ２１）、総運転時間データの確認が完了していた時、次に燃焼運転が開始されたか確認する。（Ｓ２２）
【００２７】
そして燃焼運転が開始されたら、本体制御部５はタイマー部６に計時開始信号を出力し、それによりタイマー部６は計時を開始し（Ｓ２３）、その後燃焼運転が停止されたら（Ｓ２４）、本体制御部５はタイマー部６に計時終了信号を出力し、それによりタイマー部６は計時を終了する。（Ｓ２５）
【００２８】
計時を終了したタイマー部６は、計時した時間を計時データとして本体制御部５に出力し（Ｓ２６）、計時データが入力された本体制御部５はその計時データを演算部９に出力する。（Ｓ２７）
その後、本体制御部５は記憶部７にデータ出力信号を出力し（Ｓ２８）、それにより記憶部７は記憶部７が記憶している総運転時間データを本体制御部５に出力し（Ｓ２９）、本体制御部５は演算部９に記憶部７からの総運転時間データを出力する。（Ｓ３０）
【００２９】
演算部９は、本体制御部５から出力された総運転時間データと計時データを加算して総運転時間更新データを作成し（Ｓ３１）、その総運転時間更新データを本体制御部５に出力する。（Ｓ３２）
【００３０】
本体制御部５は、演算部９より出力された総運転時間更新データを書き替えるデータとして記憶部７とリモコン制御部１４とに出力する。（Ｓ３３）
【００３１】
記憶部７は記憶しているデータを、本体制御部５より出力された総運転時間更新データに書き替えて記憶し、リモコン制御部１４は本体制御部５より出力された総運転時間更新データをリモコン記憶部１３に出力して、リモコン記憶部１３は記憶しているデータをリモコン制御部１４より出力された総運転時間更新データに書き替えて記憶する（Ｓ３４）ことで、総運転時間データの更新が完了し（Ｓ３５）、電源スイッチがオフされれば（Ｓ１）に戻り、電源スイッチがオンのままであれば（Ｓ２２）に戻るものである。（Ｓ３６）
【００３２】
尚、本実施例では電源スイッチがオフからオンになった時に総運転時間データの確認動作を行っているがこれに限定されるものではなく、所定時間毎に総運転時間データの確認動作を行ってもよいものである。
また、本実施例では本体１とリモコン装置１０とは通信線１５にて信号の送受信を行っているがこれに限定されるものではなく、無線や赤外線等により信号の送受信を行ってもよいものである。
【００３３】
以上のように不揮発性の半導体メモリからなる記憶部を本体側とリモコン側に設け、両方に総運転時間データを記憶させるので、一方の記憶部が壊れたり部品を交換したり、何らかの原因で総運転時間データが消失したとしても、もう一方の記憶部が総運転時間データを記憶しているので、データが完全に消失することを防止できるものである。
【００３４】
また、本体側とリモコン側の記憶部に記憶されている両方の総運転時間データを比較し、それが異なる時はより安全な方のデータ、例えば総運転時間データであれば長い時間の方のデータを総運転時間データとしてそのデータを両方の記憶部に書き替えて記憶させるので、より安全性を高め、メンテナンス表示等的確に報知できるものである。
【００３５】
また、燃焼運転が開始されてから停止するまでの時間をタイマー部６にて計時し、燃焼運転が停止した時点で、演算部９て記憶部７に記憶されている総運転時間データに計時した運転時間データを加算し、その加算された新しい総運転時間データにすぐに本体側とリモコン側の両方の記憶部の総運転時間データを書き替えて記憶させるので、常に新しい総運転時間データを記憶しておくことができるものである。
【００３６】
また、本体１にタイマー部６、比較部８、演算部９を設けたので、リモコン装置１０の部品点数を少なくして構造を簡単にできるものである。
【図面の簡単な説明】
【００３７】
【図１】この発明の一実施例を付した燃焼機器を示す概略構成図。
【図２】同総運転時間データの確認動作のフローチャート図。
【図３】同総運転時間データの更新動作のフローチャート図。
【符号の説明】
【００３８】
１  本体
２  燃焼部
３  操作部
４  表示部
５  本体制御部
７  記憶部
８  比較部
１０  リモコン装置
１１  リモコン操作部
１２  リモコン表示部
１３  リモコン記憶部
１４  リモコン制御部
【図１】
2010019459.tif 000003
【図２】
2010019459.tif 000004
【図３】
2010019459.tif 000005